(57)【要約】【課題】洗浄後の被乾燥体について特に形が崩れないようにしつつ乾燥させる。【解決手段】吊り下げフック１０が取り付けられてなるとともに、洗浄後の被乾燥体３を少なくとも平干し可能なように拡径されたフレーム２０と、フレーム２０から凸設され、平干しすべき被乾燥体３を支持する複数の支持体３０とを備え、複数の支持体３０により被乾燥体３を支持することにより、当該被乾燥体３に負荷される応力を分散させて形が崩れるのを防止する。【選択図】図１
2011078591.tif 000002
【特許請求の範囲】
【請求項１】
吊り下げフックが取り付けられてなるとともに、洗浄後の被乾燥体を少なくとも平干し可能なように拡径されたフレームと、
上記フレームから凸設され、上記平干しすべき被乾燥体を支持する複数の支持体とを備えること
を特徴とする乾燥用ハンガー。
【請求項２】
上記複数の支持体により上記被乾燥体を支持することにより、当該被乾燥体に負荷される応力を分散させること
を特徴とする請求項１記載の乾燥用ハンガー。
【請求項３】
上記フレームは、網目状又は格子状に構成されてなること
を特徴とする請求項１又は２記載の乾燥用ハンガー。
【請求項４】
上記フレームは、断面山形となるように中央から折り曲げられてなること
を特徴とする請求項１〜３のうち何れか１項記載の乾燥用ハンガー。
【請求項５】
上記フレームは、断面山形を構成する２枚のフレーム間の狭角を調整するための角度調製手段を有すること
を特徴とする請求項４記載の乾燥用ハンガー。
【請求項６】
上記支持体は、突起状に構成されていること
を特徴とする請求項１〜５のうち何れか１項記載の乾燥用ハンガー。
【請求項７】
上記支持体は、断面略三角形状の錐体であること
を特徴とする請求項６のうち何れか１項記載の乾燥用ハンガー。
【請求項８】
上記被乾燥体に当接される上記突起の先端は、扁平状又は曲面状とされていること
を特徴とする請求項６記載の乾燥用ハンガー。
【請求項９】
上記支持体は、凸状に形成された小片であること
を特徴とする請求項１〜５のうち何れか１項記載の乾燥用ハンガー。
【請求項１０】
請求項１〜９のうち何れか１項記載の乾燥用ハンガーの使用方法において、
洗浄後の被乾燥体を上記支持体に支持させつつ平干しすること
を特徴とする乾燥用ハンガーの使用方法。
【発明の詳細な説明】
【技術分野】
【０００１】
本発明は、洗浄後の衣服等を始めとした被乾燥体について特に形が崩れないようにしつつ乾燥させる上で好適な乾燥用ハンガーに関するものである。
【背景技術】
【０００２】
従来より一般家庭においてよく使用されているハンガーは、ビニール等で被覆された針金を折り曲げ成形したものや、プラスチックにより一定太さの軸状体に両肩部を成形し、これに吊り下げフックを設けたものとして構成されている。
【０００３】
しかしながら、ハンガーの両肩部の幅や厚みが、衣服等を始めとした被乾燥体のサイズと適合しない場合もある。特に、ハンガーの両肩部は、どのような被乾燥体でも当該ハンガーが装着できるように、被乾燥体の肩幅よりも短くされているのが一般的である。このようなハンガーに対して、被乾燥体を吊り下げてこれを乾燥させる場合、ハンガーの両肩部で被乾燥体の肩部を全て支持できるとは限らず、ハンガーの両肩部に支持されない部分が被乾燥体の肩部に生じてしまう。そして、この支持されない部分が生じると、その部分から被乾燥体の肩部は自重により垂れ下がってしまう。しかも、従来のハンガーは、線状に構成されていることから、乾燥すべき被乾燥体の形崩れが生じたり、被乾燥体の肩部分にハンガーの跡が残ったりするという問題点もあった。
【０００４】
なお、従来においては、例えば特許文献１に示すように乾燥させた被乾燥体にハンガーの跡を残さないようにする技術も開示されている。しかし、ハンガーの両肩部を介して被乾燥体の肩部を掛ける構成であるところ、乾燥時において負荷される応力は被乾燥体の肩部に集中してしまい、結局のところ形崩れが生じたり、ハンガーの跡が残るという問題点は依然として存在していた。
【先行技術文献】
【特許文献】
【０００５】
【特許文献１】特開２００８−２６４２４６号公報
【発明の概要】
【発明が解決しようとする課題】
【０００６】
そこで本発明は、上述した問題点に鑑みて案出されたものであり、その目的とするところは、洗浄後の被乾燥体について特に形が崩れないようにしつつ乾燥させることが可能な乾燥用ハンガーを提供することにある。
【課題を解決するための手段】
【０００７】
第１発明は、吊り下げフックが取り付けられてなるとともに、洗浄後の被乾燥体を少なくとも平干し可能なように拡径されたフレームと、上記フレームから凸設され、上記平干しすべき被乾燥体を支持する複数の支持体とを備えることを特徴とする。
【０００８】
第２発明は、第１発明において、上記複数の支持体により上記被乾燥体を支持することにより、当該被乾燥体に負荷される応力を分散させることを特徴とする。
【０００９】
第３発明は、第１又は第２発明において、上記フレームは、網目状又は格子状に構成されてなることを特徴とする。
【００１０】
第４発明は、第１〜３発明のうち何れか１の発明において、上記フレームは、断面山形となるように中央から折り曲げられてなることを特徴とする。
【００１１】
第５発明は、第４発明において、上記フレームは、断面山形を構成する２枚のフレーム間の狭角を調整するための角度調製手段を有することを特徴とする。
【００１２】
第６発明は、第１〜５発明のうち何れか１の発明において、上記支持体は、突起状に構成されていることを特徴とする。
【００１３】
第７発明は、第６発明において、上記支持体は、断面略三角形状の錐体であることを特徴とする。
【００１４】
第８発明は、第６発明において、上記被乾燥体に当接される上記突起の先端は、扁平状又は曲面状とされていることを特徴とする。
【００１５】
第９発明は、第１〜５発明のうち何れか１の発明において、上記支持体は、凸状に形成された小片であることを特徴とする。
【００１６】
第１０発明は、第１〜９発明のうち何れか１の乾燥用ハンガーの使用方法において、洗浄後の被乾燥体を上記支持体に支持させつつ平干しすることを特徴とする。
【発明の効果】
【００１７】
上述した構成からなる本発明によれば、衣服等の被乾燥体が複数の支持体によって支持されることにより、その被乾燥体の自重は、支持体によって分散されて負荷されることになる。即ち、一つの支持体に被乾燥体の自重が集中することを防止することができることから、一つ当たりの支持体が受け持つべき被乾燥体の重量を軽くすることができる。その結果、被乾燥体に対して支持体からの押圧力が一箇所に集中することなく分散され、しかも各支持体からの押圧力そのものを低く抑えることができる。このため、乾燥すべき被乾燥体の形崩れが生じることなく、被乾燥体にハンガーの跡が残存するのを防止することが可能となる。
【図面の簡単な説明】
【００１８】
【図１】本発明を適用した乾燥用ハンガーの全体斜視図である。
【図２】本発明を適用した乾燥用ハンガーの側面図である。
【図３】フレームを左右上下方向に拡径された面状に構成した例を示す図である。
【図４】フレームを左右前後方向に拡径された面状に構成した例を示す図である。
【図５】フレームを曲面で構成した例を示す図である。
【図６】（ａ）は、支持体について先端を扁平状とした例を示す図であり、（ｂ）は、支持体について先端を曲面状とした例を示す図である。
【図７】支持体を状に形成された小片で構成した例を示す図である。
【図８】本発明を適用した乾燥用ハンガーの使用方法について説明するための図である。
【発明を実施するための形態】
【００１９】
以下、本発明を適用した乾燥用ハンガーの実施の形態について図面を参照しながら詳細に説明する。
【００２０】
図１は、本発明を適用した乾燥用ハンガー１の全体斜視図であり、図２は、その側面図である。乾燥用ハンガー１は、吊り下げフック１０と、この吊り下げフック１０により吊り下げ支持されるフレーム２０と、このフレーム２０から凸設された複数の支持体３０とを備えている。
【００２１】
吊り下げフック１０は、フレーム２０の左端又は右端の何れか、或いは左右両端に対して、棒状の連結体１１を介して取り付けられる。この棒状の連結体１１は、樹脂製又は金属製で構成されていてもよい。また連結体１１は、フレーム２０の左右両端から取り付けられる場合に限り、ロープやチェーン等が適用されるものであってもよいし、その本数は２本に限らず、３本以上であってもよい。この連結体１１を介してフレーム２０に取り付けられる吊り下げフック１０は、樹脂製又は金属製であり、フレーム２０の左右略中央に位置調整されてなることにより、フレーム２０の略重心位置において吊り下げ支持可能とされているとともに、これが任意の方向に回転可能な機構とされていてもよい。吊り下げフック１０は、物干し竿に掛止できるように鉤状とされているが、これに限定されるものではなく、開閉可能なリング状のものであってもよい。
【００２２】
フレーム２０は、洗浄後の衣服等の被乾燥体を少なくとも平干し可能なように左右、前後、上下に向けて拡径されてなる。ここでいう洗浄は、水洗の場合のみならず、ドライクリーニングの場合も含まれる。即ちこのフレーム２０は、線状に構成されているのではなく、あくまで面状に構成される。フレーム２０を面状に構成することにより、平干しすべき被乾燥体に沿わせることが可能となる。
【００２３】
フレーム２０は、断面山形となるように中央から折り曲げられてなるようにしてもよい。また図２(a)に示すように、このフレーム２０間の狭角を自由に変更することができるように角度調整機構２２を設けるようにしてもよい。この角度調整機構２２は、断面山形を構成する２枚のフレーム２０間の挟角を自在に変更するためのヒンジ機構等である。また、フレーム２０は、これに限定されるものではなく、図２(b)に示すように断面Ｕ形で構成されるものであってもよいし、例えば図３に示すように、左右上下方向に拡径された面状に構成されていてもよいし、例えば図４に示すように左右前後方向に拡径された面状に構成されていてもよい。また、ここでいう面状とは平面である必要はなく、例えば図５に示すように曲面で構成されていてもよい。
【００２４】
フレーム２０は、樹脂製又は金属製で構成されている。このフレーム２０は、隙間の無い板状で構成されていてもよいが、通気性を向上させるために網目状又は格子状に構成されてなるようにしてもよい。
【００２５】
支持体３０は、フレーム２０から凸設され、平干しすべき被乾燥体を支持する。この支持体３０は、突起状とされており、いわば剣山のように多数の突起が突出されるようにして配設されることを前提としている。この支持体３０は、突起状に構成される場合に、その向きはいかなる角度であってもよいが、少なくとも平干しすべき被乾燥体を支持可能な角度とされている必要がある。この支持体３０は、突起状に構成される場合に、その形状としてはいかなるものであってもよいが、例えば図６（ａ）に示すように、先端が扁平状とされていてもよいし、また図６（ｂ）に示すように、先端が曲面状とされていてもよい。図６（ｃ）は、この支持体３０を、断面略三角形状の錐体で構成した例を示す図である。このような形状からなる支持体３０も同様に、その先鋭化された先端で被乾燥体を支持することが可能となる。
【００２６】
なお支持体３０は、突起状とされている場合に限定されるものではなく、例えば図７に示すように凸状に形成された小片であってもよい。即ち、この支持体３０は、フレーム２０から凸設され、平干しすべき被乾燥体を支持可能であれば、いかなる形態であってもよい。
【００２７】
次に、本発明を適用した乾燥用ハンガー１の使用方法について説明をする。乾燥用ハンガー１は、特に洗浄して水分が含まれている状態の被乾燥体を乾燥させる上で顕著な効果を発揮する。例えば図８に示すように、乾燥させるべき被乾燥体３を、支持体３０に支持させつつ平干しする。
【００２８】
被乾燥体３には水分が含まれている分、自重が重くなっている。しかし、複数の支持体３０によって支持されることにより、その被乾燥体３の自重は、支持体３０によって分散されて負荷されることになる。即ち、一つの支持体３０に被乾燥体３の自重が集中することを防止することができることから、一つ当たりの支持体３０が受け持つべき被乾燥体３の重量を軽くすることができる。その結果、被乾燥体３に対して支持体３０からの押圧力が一箇所に集中することなく分散され、しかも各支持体３０からの押圧力そのものを低く抑えることができる。このため、乾燥すべき被乾燥体３の形崩れが生じることなく、被乾燥体３にハンガーの跡が残存するのを防止することが可能となる。
【００２９】
特に支持体３０を突起状に構成する際において、その先端を扁平状又は曲面状とすることにより、被乾燥体３に負荷される押圧力の集中をより軽減させることが可能となる。また支持体３０について、凸状に形成された小片とすることにより、これに当接される被乾燥体３を面接触させ、被乾燥体３に負荷される押圧力の集中をより軽減させることが可能となる。
【００３０】
なお、本発明を適用した乾燥用ハンガー１の乾燥対象としての被乾燥体は、衣服に限定されるものではなく、タオル、ハンカチ、靴下、防止等、洗浄後乾燥させる必要があるあらゆる布製品を含む概念である。中でも本発明は、ニットのように特に型崩れを防止する必要のある被乾燥体を乾燥する上でより大きな効果を発揮しえるものである。
【符号の説明】
【００３１】
１  乾燥用ハンガー
１０  吊り下げフック
１１  連結体
２０  フレーム
２２  角度調整機構
３０  支持体
【図１】
2011078591.tif 000003
【図２】
2011078591.tif 000004
【図３】
2011078591.tif 000005
【図４】
2011078591.tif 000006
【図５】
2011078591.tif 000007
【図６】
2011078591.tif 000008
【図７】
2011078591.tif 000009
【図８】
2011078591.tif 000010